(57)【要約】【課題】  文字列の入力中に、検索モードや辞書ＤＢを切り替えた際にも、一度入力した文字を有効に使え、スムーズな検索操作が行える情報表示制御装置を実現すること。【解決手段】  入力欄ＡＲ１に文字列が入力されると（ａ）、ＣＰＵは、文字入力キー５４０の操作によって入力された文字列を入力文字列として記憶する。そして、カーソルキー５２０ｄの操作に応じて、入力文字列を入力欄ＡＲ１、ＡＲ３、ＡＲ５及びＡＲ７の何れかに切り替えて表示させる。そして、決定キー５００が押下された場合、入力文字列中に特殊文字（例えば、「？」文字ＷＤ１）が含まれているか否かを判別し、含まれているなら、ＣＰＵは、特殊文字が含まれているという旨のメッセージを表示したエラー表示画面Ｗ５の表示と、入力欄ＡＲ１中の特殊文字ＷＤ１の反転表示とを一時的に実行する（ｂ）。そして、入力文字列５２中の特殊文字を削除して、表示を更新する（ｃ）。【選択図】図６
2005293082.tif 000002
【特許請求の範囲】
【請求項１】
見出語と当該見出語の説明情報とが対応付けられ辞書情報として記憶されている記憶手段と、
入力文字列を入力する入力手段と、
複数の検索方式のうちの一の検索方式を選択する検索方式選択手段と、
前記入力手段により入力された入力文字列の中から前記検索方式選択手段により選択された検索方式にとって不適な文字を削除した状態で当該入力文字列を更新する入力文字更新手段と、
この入力文字更新手段により更新された入力文字列に適合する見出語を前記辞書情報に含まれている見出語の中から前記一の検索方式により検索して、検索した見出語に対応する説明情報を前記辞書情報から読み出して表示する制御を行う表示制御手段と、
を備えることを特徴とする情報表示制御装置。
【請求項２】
前記複数の検索方式それぞれに対する入力欄を表示制御する入力欄表示制御手段を更に備え、
前記入力手段は、前記入力欄のうちの何れかの入力欄に入力文字列を入力する手段であり、
前記入力文字更新手段により前記選択された検索方式にとって不適な文字を削除されて入力文字列が更新された後に、検索方式を切り替える検索方式切替手段と、
この検索方式切替手段により検索方式が切り替えられた後、前記更新された入力文字列から前記切り替えられた検索方式に不適な文字を削除することで当該入力文字列を更新し、前記切り替えられた検索方式に対する入力欄に入力する切替後更新入力文字入力制御手段を有する、
ことを特徴とする請求項１に記載の情報表示制御装置。
【請求項３】
前記入力文字更新手段により更新された入力文字列に含まれる前記切り替えられた後の検索方式に不適な文字を識別可能に表示する制御を行う不適文字識別表示制御手段を有することを特徴とする請求項２に記載の情報表示制御装置。
【請求項４】
見出語と当該見出語の説明情報とが対応付けられ辞書情報として記憶されている記憶手段と、
入力欄に入力文字列を入力する入力手段と、
この入力手段により入力された入力文字列を記憶する入力文字記憶手段と、
前記入力手段により入力される入力欄に対するユーザによる指示操作に応じて、前記入力文字記憶手段に記憶されている入力文字列を前記入力欄に入力する既入力文字読出入力手段と、
前記入力手段により入力された入力文字列に適合する見出語を前記辞書情報に含まれる見出語の中から検索し、検索した見出語に対応する説明情報を前記辞書情報から読み出して表示する制御を行う表示制御手段と、
を備えることを特徴とする情報表示制御装置。
【請求項５】
前記記憶手段は、複数の辞書情報を記憶している手段であり、
前記入力欄として前記各辞書情報用の入力欄を表示制御する入力欄表示制御手段を更に備え、
前記入力手段は、前記入力欄のうちの何れかの入力欄に入力文字列を入力する手段であり、
前記既入力文字読出入力手段は、何れかの前記入力欄に対する前記指示操作に応じて前記入力文字記憶手段に記憶されている入力文字列を当該入力欄に入力する手段である、
ことを特徴とする請求項４に記載の情報表示制御装置。
【請求項６】
前記入力欄として複数の検索方式それぞれに対する入力欄を表示制御する入力欄表示制御手段を更に備え、
前記入力手段は、前記入力欄のうちの何れかの入力欄に入力文字列を入力する手段であり、
前記既入力文字読出入力手段は、何れかの前記入力欄に対する前記指示操作に応じて前記入力文字記憶手段に記憶されている入力文字列を当該入力欄に入力する手段である、
ことを特徴とする請求項４に記載の情報表示制御装置。
【請求項７】
コンピュータに、
見出語と当該見出語の説明情報とが対応付けられ辞書情報として記憶する記憶機能と、
入力文字列を入力する入力機能と、
複数の検索方式のうちの一の検索方式を選択する検索方式選択機能と、
前記入力手段により入力された入力文字列の中から前記検索方式選択機能により選択された検索方式にとって不適な文字を削除した状態で当該入力文字列を更新する入力文字更新機能と、
この入力文字更新機能により更新された入力文字列に適合する見出語を前記辞書情報に含まれている見出語の中から前記一の検索方式により検索して、検索した見出語に対応する説明情報を前記辞書情報から読み出して表示する制御を行う表示制御機能と、
を実現させるためのプログラム。
【請求項８】
コンピュータに、
見出語と当該見出語の説明情報とが対応付けられ辞書情報として記憶する記憶機能と、
入力欄に入力文字列を入力する入力機能と、
この入力機能により入力された入力文字列を記憶する入力文字記憶機能と、
前記入力手段により入力される入力欄に対するユーザによる指示操作に応じて、前記入力文字記憶機能により記憶されている入力文字列を前記入力欄に入力する既入力文字読出入力機能と、
前記入力機能により入力された入力文字列に適合する見出語を前記辞書情報に含まれる見出語の中から検索し、検索した見出語に対応する説明情報を前記辞書情報から読み出して表示する制御を行う表示制御機能と、
を実現させるためのプログラム。
【発明の詳細な説明】
【技術分野】
【０００１】
本発明は、情報表示制御装置及びプログラムに関する。
【背景技術】
【０００２】
従来から、英和辞書、英英辞書、国語辞書、百科事典等、数種類の辞書データベース（以下、データベースを「ＤＢ」という。）が組み込まれた電子辞書装置（以下、単に「電子辞書」という。）と呼ばれる情報表示制御装置が知られている。辞書ＤＢは、見出語と当該見出語を説明解説等する説明情報とが対応付けられた情報を集合した辞書情報を、コンピュータを用いて検索処理することができるように体系的に構成させたものである。
【０００３】
図２０（ａ）は、従来の電子辞書１００の外観図である。同図（ａ）によれば、電子辞書１００は、ディスプレイ３と、操作入力キー群５とを備えて構成される。
【０００４】
操作入力キー群５の各キーにはそれぞれ固有の機能が割り当てられており、ユーザによってこれらのキーが押下されて、電子辞書１００が操作される。具体的には同図（ｂ）のように、操作の確定指示を入力する決定キー５００、カーソルの移動指示等を入力するカーソルキー５２０、文字入力キー５４０、説明情報中の文字で始まる見出語を再検索させるためのジャンプキー５６０ａ、辞書種別を選択するための辞書選択キー５８０等を備えている。文字入力キー５４０には、いわゆるワイルドカードに使用する文字（以下、「ワイルドカード文字」という。）として「？」キー５４０ａと「〜」キー５４０ｂとが含まれている。また、辞書選択キー５８０には、電子辞書１００が内蔵する複数の辞書ＤＢが対応付けられており、英和キー５８０ａ、英英キー５８０ｂ、国語キー５８０ｃ及び百科キー５８０ｄ等を備えて構成される。
【０００５】
この複数の辞書ＤＢを備えた電子辞書１００においては、辞書選択キー５８０を押下することで、検索の対象とする辞書ＤＢを切り替えることができる。図２１は、辞書選択キーを押下して辞書ＤＢを切り替えた際の、表示画面の一例を示す図である。同図（ａ）は、英和キー５８０ａを押下して英和辞書ＤＢを検索対象としたときの英和辞書画面Ｗ１００、同図（ｂ）は、英英キー５８０ｂを押下して英英辞書ＤＢを検索対象としたときの英英辞書画面Ｗ１０２、同図（ｃ）は、国語キー５８０ｃを押下して国語辞書ＤＢを検索対象としたときの国語辞書画面Ｗ１０４、同図（ｄ）は、百科キー５８０ｄを押下して百科事典ＤＢを検索対象としたときの百科事典画面Ｗ１０６である。
【０００６】
また、各辞書画面には、当該辞書ＤＢの見出語の文字種別に対応する文字列を入力する入力欄が設けられている。具体的には、英和辞書画面Ｗ１００には、英字を入力する入力欄ＡＲ１０１〜１０７が、英英辞書画面Ｗ１０２には、英字を入力する入力欄ＡＲ１１１〜ＡＲ１１７が、国語辞書画面Ｗ１０４には、仮名文字を入力する入力欄ＡＲ１２１が、百科事典画面Ｗ１０６には、仮名文字を入力する入力欄ＡＲ１３１が設けられている。
【０００７】
例えば、英和キー５８０ａを押下すると、同図（ａ）の英和辞書画面Ｗ１００が表示される。ユーザは、英和辞書画面Ｗ１００中の入力欄ＡＲ１０１に所望の綴り（文字列）を入力して（以下、入力した文字列を「入力文字列」という。）、決定キー５００を押下すると、入力文字列に適合する見出語が図２２（ｃ）のように見出語候補ＬＳＴ１００として一覧表示される。そして、見出語候補ＬＳＴ１００の中から、所望の見出語を選択すると、選択した見出語の説明情報が表示される。
【０００８】
また、英和辞書画面Ｗ１００や英英辞書画面Ｗ１０２での入力文字列の入力の際に、確かな綴りが分からない場合は、いわゆるワイルドカード文字を用いて検索を行うことができる。従来の電子辞書１００においては、ワイルドカード文字には、任意の一文字の置き換えに使用する「？」と、複数の文字の置き換えに使用する「〜」とが用意されている。例えば、図２２（ａ）のように、「ａｂｃ？」と入力すると、「ａｂｃ」で始まる見出語のうち、「ａｂｃ」の後ろに一文字付加することで構成される見出語が読み出されて見出語候補として表示される。
【０００９】
また、同じ文字種別の見出語を有する辞書ＤＢ、例えば、英和辞書ＤＢと英英辞書ＤＢとでは、入力文字列が共用される場合がある。具体的には、図２２（ａ）のように英和辞書画面Ｗ１０８の入力欄ＡＲ１１１に入力文字列「ａｂｃ？」を入力した状態で、英英キー５８０ｂを押下すると、切り替えて表示された英英辞書画面Ｗ１０２の入力欄ＡＲ１１１にも「ａｂｃ？」と表示される（図示略）。このように、入力文字列を入力した状態で、他の辞書ＤＢに切り替えても、ユーザは、一度入力した入力文字列を再度入力することなく検索を行うことができる。
【００１０】
また、英和辞書ＤＢや英英辞書ＤＢの検索には、複数の検索モード（検索方式）が用意されている。例えば、入力文字に適合する見出語を検索する通常検索、入力文字列に近い綴りの見出語を検索するスペルチェック、入力文字列を含む成句を検索する成句検索、及び入力文字列を含む例文を検索する例文検索等といった検索モードがある。例えば、図２１（ａ）の英和辞書画面Ｗ１００のように、各検索モードに対して、入力欄ＡＲ１０１〜ＡＲ１０７が設けられており、ユーザは、上キー５２０ｃ及び下キー５２０ｄを操作して、反転表示Ｍ１００を移動して検索モードを選択する。所望の検索モードを選択すると、選択した検索モードに対応する入力欄が入力可能な状態となり、カーソルＣＳが表示される。例えば、図２１（ａ）は、反転表示Ｍ１００により「英和」が選択され、検索モードは通常検索が選択されている状態であり、入力欄ＡＲ１０１にカーソルＣＳが表示されている。
【００１１】
このように複数の検索モードが設けられた電子辞書１００において、ユーザは、複数の検索モードで同じ入力文字列を使用して検索を行いたい場合がある。例えば、図２２（ａ）のように、「ａｂｃ？」で始まる見出語を検索しようとして入力欄ＡＲ１１１に「ａｂｃ？」と入力した後に、「ａｂｃ？」でスペルチェックをしようとした場合、ユーザは、下キー５２０ｄを押下して反転表示Ｍ１００をスペルチェックに移動する。すると、同図（ｂ）のように、反転表示Ｍ１００の移動に合わせて入力文字列「ａｂｃ？」が入力欄ＡＲ１０３に表示される。このまま、ユーザは、決定キー５００を押下すると、検索モードをスペルチェックとする検索が開始され、「ａｂｃ」の後ろに一文字付加した綴りに近い見出語が検索されて表示される。このように、一度入力した入力文字列を再度入力することなく、上下キー５２０ｃ及び５２０ｄを操作するだけで、入力文字列を所望の入力欄に表示させて、検索を行うことができる。
【００１２】
また、通常検索には、「すぐでるサーチ」と呼ばれる検索機能が備えられている。「すぐでるサーチ」とは、ユーザによって入力文字列が入力される度に、当該入力文字列に適合する見出語をその都度、辞書ＤＢから読み出して表示更新させる機能である。例えば、図２１（ａ）の英和辞書画面Ｗ１００の入力欄ＡＲ１０１に「ａｂ」と入力すると、「ａｂ」に適合する見出語が英和辞書ＤＢから読み出されて見出語候補として表示される。ユーザが、更に「ｃ」を追加入力すると、「ａｂｃ」に適合する見出語が英和辞書ＤＢから読み出されて見出語候補ＬＳＴ１００として表示される。これにより、ユーザは、所望の見出語の綴り（文字列）を全て入力しなくとも、文字列を入力する度に表示更新される見出語候補から所望の見出語を探すことができるので、少ない入力回数で当該見出語を見つけ出すことができる。
【００１３】
このように、文字列の入力の手間を省くことで、使い勝手を向上させる方法として次のようなものが知られている。すなわち、説明情報を表示したときに、所定の操作が為された場合に、当該説明情報に対応する見出語を蓄積的に記憶し、この記憶した見出語を一覧表示する単語帳と呼ばれる方法である（特許文献１参照）。
【特許文献１】特開平５−２３３６８４号公報
【発明の開示】
【発明が解決しようとする課題】
【００１４】
上述したような従来の電子辞書においては、次のような問題があった。すなわち、図２２（ａ）のように入力文字列「ａｂｃ？」を入力したまま、下キー５２０ｄを押下して、図２３（ａ）のように、反転表示Ｍ１００で成句検索を選択して、「ａｂｃ？」を入力欄ＡＲ５へ移動させる。この入力欄ＡＲ５に対応する成句検索では、入力文字列の入力に所定の入力規則があり、具体的には、ワイルドカード文字を入力文字列として使用することができない。このために、図２３（ａ）の状態で決定キー５００を押下すると、ワイルドカード文字が含まれている入力文字列は適切ではないために、同図（ｂ）のような「入力に間違いがあります。」というメッセージのエラー画面Ｗ１２０が表示されてしまう場合があった。しかし、当該メッセージは、どうように入力に間違いがあるのか等、ユーザには分かりにくいものであった。
【００１５】
また、図２２（ａ）のように英和辞書画面Ｗ１０８で「ａｂｃ？」と入力したまま、誤って国語キー５８０ｃを押下してしまうと、図２１（ｃ）のような国語辞書画面Ｗ１０４が表示される。そして、ユーザは、元の画面に戻すために、英和キー５８０ａを押下して英和辞書画面Ｗ１００を表示させると、入力欄ＡＲ１０１に入力した文字列「ａｂｃ？」はクリアされてしまっていた。
【００１６】
また、「すぐでるサーチ」において、通常検索を行い、文字列の入力の度に更新表示される見出語候補の中に所望の見出語がなかった場合、ユーザは、入力した文字列が正しいかどうかを調べるためにスペルチェックを行いたいときがある。その際、ユーザは、英和キー５８０ａを押下して、英和辞書画面Ｗ１００を表示させるが、表示される英和辞書画面Ｗ１００の入力欄ＡＲ１０１はクリアされてしまっている。このように、辞書選択キー５８０を押下すると、先に入力していた文字列がクリアされてしまうため、ユーザはその都度再度同じ入力文字列を入力しなければならなく、非常に手間のかかるものであった。
【００１７】
また、特許文献１のような単語帳と呼ばれる方法で、覚えておきたい見出語を記憶させることができるが、説明情報を表示させた見出語のみを記憶の対象としており、入力文字列は対象外であった。また、入力文字列を記憶させるようにしたとしても、辞書ＤＢや検索モードを切り替える前に入力文字列を登録するための所定の操作が必要となってしまう。このため、辞書ＤＢや検索モードを容易に切り替えられる従来の一連の操作が煩わしいものになってしまう。
【００１８】
本発明は、上述した課題を解決するために為されたものであり、その目的とするところは、文字列の入力中に、検索モードや辞書ＤＢを切り替えた際にも、一度入力した入力文字列を有効に使え、スムーズな検索操作が行える情報表示制御装置を実現することである。
【課題を解決するための手段】
【００１９】
以上の課題を解決するために、請求項１に記載の情報表示制御装置は、
見出語と当該見出語の説明情報とが対応付けられ辞書情報（例えば、図１の辞書テーブル４２ａ）として記憶されている記憶手段（例えば、図１のＲＯＭ４０）と、
入力文字列を入力する入力手段（例えば、図１のＣＰＵ１０、入力部２０；図５のステップＳ１３）と、
複数の検索方式（例えば、通常検索や成句検索）のうちの一の検索方式を選択する検索方式選択手段（例えば、図１のＣＰＵ１０、入力部２０；図５のステップＳ１５〜Ｓ１７）と、
前記入力手段により入力された入力文字列の中から前記検索方式選択手段により選択された検索方式にとって不適な文字を削除した状態で当該入力文字列を更新する入力文字更新手段（例えば、図１のＣＰＵ１０；図５のステップＳ２７→Ｓ３１）と、
この入力文字更新手段により更新された入力文字列に適合する見出語を前記辞書情報に含まれている見出語の中から前記一の検索方式により検索して、検索した見出語に対応する説明情報を前記辞書情報から読み出して表示する制御を行う表示制御手段（例えば、図１のＣＰＵ１０、表示部３０；図５のステップＳ３３〜Ｓ３７→Ｓ３９）と、
を備えることを特徴している。
【００２０】
請求項７に記載のプログラムは、
コンピュータに、
見出語と当該見出語の説明情報とが対応付けられ辞書情報（例えば、図１の辞書テーブル４２ａ）として記憶する記憶機能（例えば、図１のＲＯＭ４０）と、
入力文字列を入力する入力機能（例えば、図１のＣＰＵ１０；図５のステップＳ１３）と、
複数の検索方式のうちの一の検索方式（例えば、通常検索や成句検索）を選択する検索方式選択機能（例えば、図１のＣＰＵ１０；図５のステップＳ１５〜Ｓ１７）と、
前記入力機能により入力された入力文字列の中から前記検索方式選択機能により選択された検索方式にとって不適な文字を削除した状態で当該入力文字列を更新する入力文字更新機能（例えば、図１のＣＰＵ１０；図５のステップＳ２７→Ｓ３１）と、
この入力文字更新機能により更新された入力文字列に適合する見出語を前記辞書情報に含まれている見出語の中から前記一の検索方式により検索して、検索した見出語に対応する説明情報を前記辞書情報から読み出して表示する制御を行う表示制御機能（例えば、図１のＣＰＵ１０、表示部３０；図５のステップＳ３３〜Ｓ３７→Ｓ３９）と、
を実現させることを特徴としている。
【００２１】
請求項２に記載の発明は、請求項１に記載の情報表示制御装置において、
前記複数の検索方式それぞれに対する入力欄（例えば、図６（ａ）の入力欄ＡＲ１〜Ａ７）を表示制御する入力欄表示制御手段（例えば、図１のＣＰＵ１０、表示部３０；図５のステップＳ５）を更に備え、
前記入力文字更新手段により、前記選択された検索方式にとって不適な文字を削除して入力文字列が更新された後に、検索方式を切り替える検索方式切替手段と、
この検索方式切替手段により検索方式が切り替えられた後、前記更新された入力文字列から前記切り替えられた検索方式に不適な文字を削除することで当該入力文字列を更新し、前記切替られた検索方式に対する入力欄に入力する切替後更新入力文字入力制御手段（例えば、図１のＣＰＵ１０；図５のステップＳ２７→Ｓ２９〜Ｓ３１）を有する、
ことを特徴としている。
【００２２】
請求項３に記載の発明は、請求項２に記載の情報表示制御装置において、
前記入力文字更新手段により更新された入力文字列に含まれる前記切り替えられた検索方式に不適な文字を識別可能に表示する制御を行う不適文字識別表示制御手段（例えば、図１のＣＰＵ１０、表示部３０；図５のステップＳ２９）を有することを特徴としている。
【００２３】
請求項４に記載の情報表示制御装置は、
見出語と当該見出語の説明情報とが対応付けられ辞書情報（例えば、図９の辞書テーブル４２ａ）として記憶されている記憶手段（例えば、図９のＲＯＭ４０−１）と、
入力欄に入力文字列を入力する入力手段（例えば、図１のＣＰＵ１０、入力部２０；図１０のステップＳ１１３）と、
この入力手段により入力された入力文字列を記憶する入力文字記憶手段（例えば、図１のＲＡＭ５０、前回入力文字列５４）と、
前記入力手段により入力される入力欄に対するユーザの指示操作（例えば、左キー５２０ａの押下操作）に応じて前記入力文字記憶手段に記憶されている入力文字列を前記入力欄に入力する既入力文字読出入力手段（例えば、図１のＣＰＵ１０；図１０のステップＳ１０７→Ｓ１０９→Ｓ１１１）と、
前記入力手段により入力された入力文字列に適合する見出語を前記辞書情報に含まれる見出語の中から検索し、検索した見出語に対応する説明情報を前記辞書情報から読み出して表示する制御を行う表示制御手段（例えば、図１のＣＰＵ１０、表示部３０；図１０のステップＳ１１４−２〜Ｓ１３８→Ｓ１３９）と、
を備えることを特徴としている。
【００２４】
請求項８に記載のプログラムは、
コンピュータに、
見出語と当該見出語の説明情報とが対応付けられ辞書情報（例えば、図９の辞書テーブル４２ａ）として記憶する記憶機能（例えば、図９のＲＯＭ４０−１）と、
入力欄に入力文字列を入力する入力機能と、
前記入力機能により入力された入力文字列を記憶する入力文字記憶機能（例えば、図１のＣＰＵ１０；図１０のステップＳ１１３）と、
前記入力機能により入力される入力欄に対するユーザの指示操作（例えば、左キー５２０ａの押下操作）に応じて前記入力文字記憶機能により記憶されている入力文字列を前記入力欄に入力する既入力文字読出入力機能（例えば、図１のＣＰＵ１０；図１０のステップＳ１０７→Ｓ１０９→Ｓ１１１）と、
前記入力機能により入力された入力文字列に適合する見出語を前記辞書情報に含まれる見出語の中から検索し、検索した見出語に対応する説明情報を前記辞書情報から読み出して表示する制御を行う表示制御機能（例えば、図１のＣＰＵ１０；図１０のステップＳ１１４−２〜Ｓ１３８→Ｓ１３９）と、
を備えることを特徴としている。
【００２５】
請求項５に記載の発明は、請求項４に記載の情報表示制御装置であって、
前記記憶手段は、複数の辞書情報（例えば、図９の英和辞書ＤＢ４２や国語辞書ＤＢ４４）を記憶している手段であり、
前記入力欄として前記各辞書情報用の入力欄を表示制御する入力欄表示制御手段（例えば、図１のＣＰＵ１０、表示部３０；図１０のステップＳ１０５）を更に備え、
前記入力手段は、前記入力欄のうちの何れかの入力欄に入力文字列を入力する手段（例えば、図１のＣＰＵ１０、入力部２０；図１０のステップＳ１１５→Ｓ１１７〜Ｓ１１９）であり、
前記既入力文字読出入力手段は、何れかの前記入力欄に対する前記指示操作（例えば、左キー５２０ａの押下操作）に応じて前記入力文字記憶手段に記憶されている入力文字列を当該入力欄に入力する手段（例えば、図１のＣＰＵ１０；図１０のステップＳ１０７→Ｓ１０９→Ｓ１１１）である、
ことを特徴としている。
【００２６】
請求項６に記載の発明は、請求項４に記載の情報表示制御装置であって、
前記入力欄として複数の検索方式（例えば、通常検索や成句検索）それぞれに対する入力欄を表示制御する入力欄表示制御手段（例えば、図１のＣＰＵ１０、表示部３０、図１０のステップＳ１０５）を更に備え、
前記入力手段は、前記入力欄のうちの何れかの入力欄に入力文字列を入力する手段（例えば、図１のＣＰＵ１０、入力部２０；図１０のステップＳ１１５→Ｓ１１７〜Ｓ１１９）であり、
前記既入力文字読出入力手段は、何れかの前記入力欄に対する前記指示操作に応じて前記入力文字記憶手段に記憶されている入力文字列を当該入力欄に入力する手段（例えば、図１のＣＰＵ１０；図１０のステップＳ１０７→Ｓ１０９→Ｓ１１１）である、
ことを特徴としている。
【発明の効果】
【００２７】
請求項１又は７に記載の発明によれば、選択された一の検索方式にとって不適な文字を入力文字列から削除した状態で当該入力文字列を更新した後、この更新した入力文字列に適合する見出語を辞書情報に含まれる見出語の中から一の検索方式により検索して、検索した見出語に対応する説明情報を表示する制御を行う。これにより、ユーザは、選択した検索方式に対し、例えば、誤って当該検索方式に不適な文字を入力文字列として入力してしまっても、自動的にその不適な文字が削除されるため、当該文字を削除するための操作を行う必要がない。従って、ユーザはスムーズに辞書情報の検索を行うことができるため、情報表示制御装置の使い勝手が向上される。
【００２８】
請求項２に記載の発明よれば、請求項１に記載の発明と同様の効果が得られるのは無論のこと、選択された検索方式に不適な文字を削除して入力文字列を更新した後に、検索方式を切り替えられた際に、更新された入力文字列の中から切り替えられた検索方式に不適な文字を削除して入力文字列を更新して、切り替えられた検索方式に対する入力欄に入力する。これにより、ユーザが、例えば、何れかの検索方式の入力欄に入力文字列を入力した後、他の検索方式を切り替えた場合、切り替えた検索方式において不適な文字が入力文字列の中に含まれていれば、自動的にその不適な文字が削除され、その選択した検索方式の入力欄に削除後の入力文字列が入力される。このため、ユーザは、その不適な文字を削除するための操作を行う必要がなく、スムーズに辞書情報の検索を行うことができるため、情報表示制御装置の使い勝手が向上される。
【００２９】
請求項３に記載の発明によれば、請求項２に記載の発明と同様の効果が得られるのは無論のこと、更新された入力文字列に含まれる切り替えられた検索方式に不適な文字を識別可能に表示する。これにより、ユーザは、切り替えた検索方式に不適な文字がどれかを容易に知ることができる。
【００３０】
請求項４又は８に記載の発明によれば、入力欄に入力された入力文字列に適合する見出語を辞書情報に含まれる見出語の中から検索し、検索した見出語に対応する説明情報を辞書情報から読み出して表示する制御を行うと共に、ユーザの指示操作に応じて、記憶している入力文字列を入力欄に入力する。これにより、ユーザは、既に入力した入力文字列を再入力する際には、指示操作を行うといった簡単な操作で済む。
【００３１】
請求項５に記載の発明によれば、請求項４に記載の発明と同様の効果が得られるのは無論のこと、複数の辞書情報それぞれの入力欄のうちの何れかの入力欄に対するユーザの指示操作に応じて、記憶されている入力文字列を当該入力欄に入力する。例えば、ユーザが、ある辞書情報用の入力欄に入力文字列を入力した後、他の辞書情報用の入力欄に対して指示操作を行うと、入力済の入力文字列が当該指示操作を行った入力欄に入力される。従って、既に入力した入力文字列を再入力する際には、複数の辞書情報用の入力欄の何れかに対して指示操作を行うといった簡単な操作で済む。
【００３２】
請求項６に記載の発明によれば、請求項４に記載の発明と同様の効果が得られるのは無論のこと、複数の検索方式それぞれに対する入力欄のうちの何れかの入力欄に対するユーザの指示操作に応じて、記憶されている入力文字列を当該入力欄に入力する。例えば、ユーザが、ある検索方式の入力欄に入力文字列を入力した後、他の検索方式の入力欄に対して指示操作を行うと、入力済の入力文字列が当該指示操作を行った入力欄に入力される。従って、既に入力した入力文字列を再入力する際には、複数の検索方式の入力欄の何れかに対して指示操作を行うといった簡単な操作で済む。
【発明を実施するための最良の形態】
【００３３】
〔第１実施形態〕
先ず、本発明の情報表示制御装置を電子辞書に適用した場合の第１実施形態について図１〜図８を参照して詳細に説明する。
【００３４】
本実施形態の電子辞書１は、ディスプレイ３と、操作入力キー群５とを備えており、外観及び操作入力キー群５の構成は、従来の電子辞書１００と同様である。
【００３５】
図１は、電子辞書１の機能構成を示すブロック図である。同図によれば、電子辞書１は、ＣＰＵ（Central Processing Unit）１０と、入力部２０と、表示部３０と、ＲＯＭ（Read Only Memory）４０と、ＲＡＭ（Random Access Memory）５０とがバス６０に接続されて構成されている。
【００３６】
ＣＰＵ１０は、入力される指示に応じて所定のプログラムに基づいた処理を実行し、各機能部への指示やデータの入出力を行う。具体的には、ＣＰＵ１０は、入力部２０から入力される操作信号に応じてＲＯＭ４０に格納されたプログラムを読み出し、当該プログラムに従って処理を実行する。そして、処理結果を表示するための表示データを表示部３０に出力し、当該表示データに従った表示画面を表示部３０に表示させる。
【００３７】
入力部２０は、仮名、英字（アルファベット）等の文字入力や機能選択等に必要なキー群を備え、押下されたキーの押下信号等をＣＰＵ１０に出力する。この入力部２０におけるキー入力により、辞書種別の選択、文字入力、確定指示の入力等が実現される。尚、この入力部２０は、操作入力キー群５に相当するものである。
【００３８】
表示部３０は、ＣＰＵ１０から入力される表示データに基づいて各種画面を表示させるための表示装置であり、ＬＣＤ（Liquid Crystal Display）等により構成される。尚、この表示部３０は、ディスプレイ３に相当するものである。
【００３９】
ＲＯＭ４０は、各種初期設定、ハードウェアの検査、又は必要なプログラムのロード等を行うための初期プログラムを格納する。ＣＰＵ１０は、電子辞書１の電源投入時にこの初期プログラムを実行することにより、電子辞書１の動作環境を設定する。また、ＲＯＭ４０は、電子辞書１の動作に係る種々の機能を実現するためのデータやプログラムを格納する。
【００４０】
図１によれば、ＲＯＭ４０は、辞書テーブル４２ａ及び成句テーブル４２ｂを有して構成される英和辞書ＤＢ４２と、国語辞書ＤＢ４４と、百科事典ＤＢ４６と、入力可能文字種別対応テーブル４８と、第１辞書検索プログラム４９とを格納する。
【００４１】
辞書テーブル４２ａは、英語の見出語と、当該見出語の説明情報とを対応付けたレコードを集合して記憶するデータテーブルである。図２（ａ）は、辞書テーブル４２ａのデータ構成の一例を示す図である。同図によれば、例えば、見出語「ＡＢＣ」に、説明情報「１アルファベット  ２基本原則；初歩、いろは・・・」が対応付けられて記憶されている。
【００４２】
成句テーブル４２ｂは、成句である成句見出語と、当該成句見出語の説明情報とを対応付けたレコードを集合して記憶するデータテーブルである。図２（ｂ）は、成句テーブル４２ｂのデータ構成の一例を示す図である。同図によれば、例えば、成句見出語「ｅａｓｙ  ａｓ  ｐｉｅ［ａｎｙｔｈｉｎｇ，ａｂｃ］」に、説明情報「とても安易な」が対応付けられて記憶されている。
【００４３】
国語辞書ＤＢ４４は、日本語の見出語と、当該見出語の説明情報とを対応付けたレコードを集合して記憶するデータテーブルである。図３（ａ）は、国語辞書ＤＢ４４のデータ構成の一例を示す図である。同図によれば、例えば、見出語「あい［藍］」に、説明情報「１タデ科の一年草。東南アジアの原産。・・・」が対応付けられて記憶されている。
【００４４】
百科事典ＤＢ４６は、日本語の見出語と、当該見出語の説明情報とを対応付けたレコードを集合して記憶するデータテーブルである。図３（ｂ）は、百科事典ＤＢ４６のデータ構成の一例を示す図である。同図によれば、例えば、見出語「アイ［藍］」に、説明情報「濃青色。いわゆる藍色の染料を・・・」が対応付けられて記憶されている。
【００４５】
入力可能文字種別対応テーブル４８は、辞書ＤＢの種別（辞書種別）と、この辞書種別の辞書ＤＢの辞書画面において入力可能な文字種別との対応を規定するデータテーブルである。図４は、入力可能文字種別対応テーブル４８の、データ構成の一例を示す図である。同図によれば、例えば、辞書種別「英和辞書」には、入力可能な文字種別として「英語」が対応付けられている。これは、ユーザが英和辞書ＤＢを選択しているときに英和辞書画面の入力欄に入力可能な文字列が「英語」であることを表している。ＣＰＵ１０は、入力可能文字種別対応テーブル４８を参照することにより、選択されている辞書ＤＢにおいて入力可能な文字種別を決定し、文字入力キー５４０が押下された際は、押下された文字入力キー５４０に対応する文字を当該文字種別の文字に変換した後に、入力文字列５２として記憶させる。例えば、入力可能な文字種別を「英語」と決定して、「Ａ」キーが押下された場合は、「ａ」を入力文字列５２として記憶させる。また、入力可能な文字種別を「日本語」と決定した場合は、「ａ」を「あ」に変換した後に入力文字列５２として記憶させる。
【００４６】
第１辞書検索プログラム４９は、第１実施形態に係る第１辞書検索処理を実現するためのプログラムである。ＣＰＵ１０は、電子辞書１の電源が投入されると、第１辞書検索プログラム４９をＲＯＭ４０から読み出して第１辞書検索処理を開始する。尚、第１辞書検索処理は、後述するサーチモードフラグ５９がＯＦＦのときのみに読み出されて実行される。
【００４７】
ＲＡＭ５０は、ＣＰＵ１０が実行する各種プログラムやこれらプログラムの実行に係るデータ等を一時的に保管するメモリ領域を備える。図１によれば、ＲＡＭ５０は、入力文字列５２と、前回入力文字列５４と、選択見出語５６と、選択辞書種別５８と、サーチモードフラグ５９とを格納する。
【００４８】
入力文字列５２は、ユーザの文字入力キー５４０の押下によって入力された文字列である。ＣＰＵ１０は、１文字入力される度に当該文字を入力文字列５２に追加記憶して更新する。
【００４９】
前回入力文字列５４は、入力文字列５２を一時的に記憶するための記憶領域である。ＣＰＵ１０は、辞書選択キー５８０が押下されると、入力文字列５２を前回入力文字列５４として記憶させ、入力文字列５２をクリアする。これにより、辞書選択キー５８０の押下時に、入力文字列５２をクリアしても、所定の指示操作が為されたときに、前回入力文字列５４を読み出して、入力文字列５２とすることで、前回入力されていた入力文字列を再度入力欄に表示させることができる。
【００５０】
選択見出語５６は、表示部３０に表示させた見出語候補の中から、ユーザにより選択された見出語である。
【００５１】
選択辞書種別５８は、辞書選択キー５８０の中の何れかのキーが押下されることにより選択された辞書ＤＢの種別である。ＣＰＵ１０は、辞書選択キー５８０が押下される度に、押下された辞書選択キー５８０に対応する辞書ＤＢの種別（例えば、英和辞書や国語辞書）を選択辞書種別５８として記憶更新する。
【００５２】
サーチモードフラグ５９は、背景技術においても説明した「すぐでるサーチ」が設定されているか否かを判別するためのフラグである。ユーザの所定の操作（例えば、初期設定画面（図示略）での設定操作）により「すぐでるサーチ」を使用するとする設定がされると、サーチモードフラグ５９はＯＮに設定され、「すぐでるサーチ」を使用しないとする設定がされると、ＯＦＦに設定される。尚、初期状態において、サーチモードフラグ５９は、ＯＦＦに設定される。
【００５３】
次に、電子辞書１の第１辞書検索処理の具体的な動作についで、図５のフローチャートを用いて説明する。尚、ＣＰＵ１０は、第１辞書検索処理を終了させるための操作（例えば、電源キーの押下操作）が為されたことを検知した場合に、当該処理を終了する。
【００５４】
先ず、ＣＰＵ１０は、第１辞書検索処理を開始すると、初期画面として従来の英和辞書画面Ｗ１０１と同様の画面を表示部３０に表示させる。そして、ユーザにより辞書選択キー５８０が押下されたか否かを判別し（ステップＳ１）、押下されたと判別した場合に（ステップＳ１：Ｙｅｓ）、ＲＡＭ５０に入力文字列５２が記憶されていれば、入力文字列５２を前回入力文字列５４として記憶させた後、ＲＡＭ５０の入力文字列５２をクリアする（ステップＳ３）。
【００５５】
ステップＳ３の処理後、又はステップＳ１において辞書選択キー５８０が押下されなかったと判別した場合、ＣＰＵ１０は、現在選択されている辞書種別を選択辞書種別５８に設定し、選択辞書種別５８の辞書画面と、選択辞書種別５８の辞書ＤＢで検索可能な検索モードに対する入力欄を当該辞書画面に表示させる（ステップＳ５）。
【００５６】
そして、ＣＰＵ１０は、選択されている検索モードの入力欄に入力文字列５２を表示させて表示更新する（ステップＳ１１）。具体的には、入力中の文字列（入力文字列５２）がない状態で、左キー５２０ａが押下され（ステップＳ７：Ｙｅｓ）、更に、前回に入力された文字列（前回入力文字列５４）の文字種別と、選択されている辞書ＤＢ（選択辞書種別５８）の文字種別とが同じ場合に（ステップＳ９：Ｙｅｓ）、前回入力文字列５４を入力文字列５２としてＲＡＭ５０に記憶させ、入力欄に表示させる。
【００５７】
従って、入力中の文字がある場合に左キー５２０ａが押下されても（ステップＳ７：Ｎｏ）、この押下操作は、カーソルＣＳを移動させる操作に相当し、前回入力された文字列（前回入力文字列５４）を入力欄に表示させない。また、例えば、前回入力された文字列（前回入力文字列５４）の文字種別が日本語であり、現在選択されている辞書ＤＢの文字種別が英語の場合は、前回入力された文字列（前回入力文字列５４）を入力欄に表示させたとしても、選択されている辞書ＤＢでの検索はできないため、前回入力文字列５４を入力欄に表示させない。
【００５８】
ＣＰＵ１０は、ステップＳ１１の処理後、ステップＳ７においてＲＡＭ５０に入力文字列５２が記憶されていない或いは左キー５２０ａが押下されなかったと判別した場合、又はステップＳ９において前回入力文字列５４の文字種別と選択辞書種別５８の文字種別とが異なると判別した場合に、ユーザにより文字入力が為されたのであれば、入力された文字列を追加することで入力文字列５２を更新する（ステップＳ１３）。このとき、ＣＰＵ１０は、入力可能文字種別対応テーブル４８に従って、選択辞書種別５８に対応する文字種別の文字列に変換してから、入力文字列５２に追加する。
【００５９】
そして、上下キー５２０ｃ又は５２０ｄが押下されたか否かを判別し（ステップＳ１５）、押下されたと判別した場合（ステップＳ１５：Ｙｅｓ）、ＣＰＵ１０は、上下キー５２０ｃ、５２０ｄのキー操作に応じた入力欄に切り替えて入力文字列５２を移動表示させ、検索モードを変更して表示部３０を表示更新させる（ステップＳ１７）。そして、ユーザにより更なる文字入力が為されたなら、入力された文字列を追加することで入力文字列５２を更新する（ステップＳ１９）。従って、上下キー５２０ｃ、５２０ｄのキー操作が為された場合は、入力中の文字列を当該操作に応じた入力欄に表示させるため、ユーザに同じ文字列を再度入力させなくてもよい。
【００６０】
ステップＳ１５において、上下キー５２０ｃ、５２０ｄが押下されなかったと判別した場合（ステップＳ１５：Ｎｏ）、又はステップＳ１９の処理後、ＣＰＵ１０は、決定キー５００が押下されたか否かを判別する（ステップＳ２１）。押下されなかったと判別した場合は（ステップＳ２１：Ｎｏ）、ステップＳ１へ処理を移行して、ステップＳ１〜Ｓ１９の処理を繰り返す。従って、決定キー５００が押下されるまでは、ユーザによる辞書選択キー５８０、左キー５２０ａ、上下キー５２０ｃ及び５２０ｄの押下操作に応じて入力欄の表示を更新して、文字列の入力の待機状態となる。
【００６１】
ステップＳ１５において、決定キー５００が押下されたと判別した場合（ステップＳ２１：Ｙｅｓ）、ＣＰＵ１０は、選択辞書種別５８が英和辞書及び英英辞書の何れか一方であるか否かを判別する（ステップＳ２３）。英和辞書及び英英辞書の何れか一方であると判別した場合（ステップＳ２３：Ｙｅｓ）、ＣＰＵ１０は、更に選択されている検索モードが通常検索又はスペルチェックであるか否かを判別する（ステップＳ２５）。
【００６２】
ＣＰＵ１０は、検索モードが通常検索又はスペルチェックであると判別した場合は（ステップＳ２５：Ｙｅｓ）、当該検索モードに応じた検索を実行し、入力文字列５２に適合する見出語を、選択辞書種別５８の辞書ＤＢから読み出して、読み出した見出語を見出語候補として表示部３０に表示させる（ステップＳ３３）。尚、通常検索、スペルチェック、成句検索及び例文検索の詳細な検索方法については、公知技術であるためその説明は省略する。
【００６３】
また、ステップＳ２５において、検索モードが通常検索及びスペルチェックの何れでもないと判別した場合、すなわち、成句検索及び例文検索の何れかであった場合は（ステップＳ２５：Ｎｏ）、ＣＰＵ１０は、入力文字列５２内にワイルドカード文字等の特殊文字が含まれているか否かを判別する（ステップＳ２７）。特殊文字が含まれていないと判別した場合は（ステップＳ２７：Ｎｏ）、そのままステップＳ３３の処理へと移行する。
【００６４】
また、含まれていると判別した場合は（ステップＳ２７：Ｙｅｓ）、入力文字列５２内に検索に不適な文字が含まれているとして、入力文字列５２中に特殊文字が含まれているという旨のエラー表示（例えば、図６（ｂ）のエラー表示画面Ｗ５）と、その特殊文字を識別させる反転表示とを一時的（例えば、３秒間）に実行する（ステップＳ２９）。その後、当該特殊文字を入力文字列５２中から削除して、入力文字列５２を更新した後（ステップＳ３１）、ステップＳ２１の処理へ移行する。
【００６５】
尚、エラー表示と特殊文字の反転表示とを一時的に実行した後に、入力文字列５２中の特殊文字を削除することとしたが、例えば、エラー表示と特殊文字の反転表示とを実行したままユーザの所定のキー操作（例えば、決定キー５００の押下操作）を待機して、特殊文字を削除することとしてもよい。
【００６６】
このステップＳ２７〜Ｓ３１の処理により、成句検索又は例文検索に対する入力欄に入力された文字列中に特殊文字が含まれている場合は、当該特殊文字を使用した検索ができないということをユーザに視認させることができる。また、自動的に当該特殊文字を削除することで、ユーザに特殊文字を削除させる操作をさせる必要がない。
【００６７】
ステップＳ２３において、選択辞書種別５８が英和辞書及び英英辞書の何れでもない、すなわち、国語辞書及び百科事典の何れかであると判別した場合（ステップＳ２３：Ｎｏ）、ＣＰＵ１０は、選択辞書種別５８の辞書ＤＢの通常検索を実行して、見出語候補を表示部３０に表示させる（ステップＳ３５）。
【００６８】
ステップＳ３３又はＳ３５の処理後、ＣＰＵ１０は、ユーザにより見出語候補の中の一の見出語が選択されたなら（ステップＳ３７：Ｙｅｓ）、選択された見出語に対応する説明情報を選択辞書種別５８の辞書ＤＢから読み出して表示部３０に表示させる（ステップＳ３９）。そして、辞書選択キー５８０が押下されるまで待機して（ステップＳ４１）、押下されたなら、ステップＳ３の処理へ移行する。従って、入力文字列５２を前回入力文字列５４として記憶して、ＲＡＭ５０の入力文字列５２をクリアすることで、新たな文字列の入力が可能な状態とする。
【００６９】
次に、ユーザの具体的な操作例と、当該操作に伴う表示画面の遷移の様子を、図６〜８を用いて説明する。これら各図において各表示画面Ｗ１〜１５の左側に示したキー（ボタン）は、当該表示画面を表示させるまでにユーザが押下操作するキーを表している。尚、以下の説明における電子辞書１は、サーチモードフラグ５９がＯＦＦに設定されていることとして説明する。
【００７０】
先ず、ユーザが、英和キー５８０ａを押下すると、図６（ａ）のような英和辞書画面Ｗ１が表示部３０に表示される。そして、文字入力キー５４０を「Ａ」、「Ｂ」、「Ｃ」、「？」といった順に押下すると、当該押下に従って入力欄ＡＲ１に「ａｂｃ？」と表示される。このとき、入力文字列５２は「ａｂｃ？」となる（図５のステップＳ１３に相当）。
【００７１】
そして、下キー５２０ｄを２回押下すると、反転表示Ｍ１が当該押下操作に応じて「スペルチェック」→「成句検索」と移動して表示されると共に、入力欄ＡＲ１に表示されていた「ａｂｃ？」が、入力欄ＡＲ３→ＡＲ５といった順に、当該押下操作に応じて移動して表示される（図５のステップＳ１５→Ｓ１７に相当）。そして、この状態で成句検索を行おうとして、決定キー５００を押下すると、「「？」は入力できません。」というメッセージを表示したエラー表示画面Ｗ５が表示される。また、入力欄ＡＲ５内の文字列「ａｂｃ？」中の「？」文字ＷＤ１が反転表示される（図６（ｂ））。  そして、同図（ｂ）の状態で、数秒経過すると、エラー表示画面Ｗ５が閉じられ、更に、先に反転表示されていた「？」文字ＷＤ１が自動的に入力欄ＡＲ５内から消去される（図６（ｃ））。
【００７２】
このとき、検索モードが成句検索であるから、ＣＰＵ１０により、入力文字列５２「ａｂｃ？」中に特殊文字として「？」や「〜」といった文字が含まれているか否かの判断が為されている。図６（ｂ）の場合は「？」が含まれているため、ＣＰＵ１０により「？」が含まれている旨のメッセージがエラー表示画面Ｗ５上に表示され、更に、入力欄ＡＲ５中の「？」が反転表示される。そして、入力文字列５２中の「？」が削除されて更新されることで、入力欄ＡＲ５の文字列の表示が「ａｂｃ」となって表示更新される（図５のステップＳ２１→Ｓ２３→Ｓ２５→Ｓ２７→Ｓ２９〜Ｓ３１に相当）。
【００７３】
従って、ユーザは、成句検索においては、「？」が使用できないことを知ることができると共に、成句検索には不適な文字「？」を削除するための操作を行う必要がない。そのため、図６（ｃ）のまま、決定キー５００を押下すると、「ａｂｃ」を成句見出語内に含む成句見出語が成句テーブル４２ｂから読み出されて、見出語候補ＬＳＴ１として表示される（図７（ａ））（図５のステップＳ２１→Ｓ２３→Ｓ２５→Ｓ２７→Ｓ３３に相当）。また、見出語候補ＬＳＴ１から見出語「ｅａｓｙ  ａｓ  ｐｉｅ・・・」を選択して、決定キー５００を押下すると、選択した見出語の説明情報ＣＴ１が表示される（図７（ｂ））（図５のステップＳ３７→Ｓ３９に相当）。
【００７４】
また、図６（ａ）の状態で、決定キー５００を押下して、「ａｂｃ」で始まる見出語のうち、「ａｂｃ」の後ろに一文字付加した見出語を検索した際に、表示された見出語候補に所望の見出語がなかった場合は、ユーザは、入力した綴りが正しかったかどうかのチェックを行う。この場合、ユーザは、英和キー５８０ａを押下し、更に、下キー５２０ｄを押下することで、図８（ａ）のように検索モードをスペルチェックにする。そして、左キー５２０ａを押下すると、図８（ｂ）のように、入力欄ＡＲ３には「ａｂｃ？」と表示される。
【００７５】
このように見出語候補が表示された状態で、英和キー５８０ａを押下したとき、ＣＰＵ１０により、入力文字列５２「ａｂｃ？」が前回入力文字列５４としてＲＡＭ５０に記憶されて、ＲＡＭ５０の入力文字列５２がクリアされる（図５のステップＳ３３〜Ｓ３７→Ｓ４１→Ｓ３に相当）。そして、左キー５２０ａを押下すると、前回入力文字列５４が入力文字列５２としてＲＡＭ５０に記憶されて、スペルチェックの入力欄ＡＲ３に入力文字列５２「ａｂｃ？」が表示される（図５のステップＳ７→Ｓ９→Ｓ１１に相当）。従って、ユーザは、直前の辞書画面で入力した文字列を再度入力することなく、当該文字列の検索を再度行うことができる。
【００７６】
以上、第１実施形態によれば、文字列が入力されて、決定キー５００が押下されたときに、選択辞書種別５８が英和又は英英辞書であり、且つ検索モードが通常検索又はスペルチェックであった場合には、ＣＰＵ１０は、入力文字列５２中に特殊文字が含まれているか否かを判別する。そして、特殊文字が含まれていた場合は、入力文字列５２中に特殊文字が含まれているという旨のエラー表示と、表示中の当該特殊文字の反転表示とを一時的に実行した後、入力文字列５２から当該特殊文字を削除して入力文字列５２を更新する。ユーザは、表示されたエラー表示により、自分の入力した文字列の中に選択した検索モードには適さない文字が含まれていることを知ることができるだけでなく、具体的にどの文字が適さないかといったことも知ることができる。また、入力文字列５２中の特殊文字が自動的に削除されるので、ユーザは、当該文字を削除するための操作を行う必要がないため、検索操作をスムーズに行うことができる。
【００７７】
また、ＣＰＵ１０は、左キー５２０ａが押下されたときに、ＲＡＭ５０に入力文字列５２が記憶されていなく、前回入力文字列５４の文字種別と選択辞書種別５８の文字種別が同じである場合は、前回入力文字列５４を入力文字列５２としてＲＡＭ５０に記憶して、選択されている検索モードに対する入力欄に入力文字列５２を表示させる。これにより、ユーザは、例えば、文字列の入力中に誤って辞書選択キー５８０を押下してしまったり、所望の検索結果が表示されなく他の検索モードで検索しようと辞書選択キー５８０を押下したりした場合に、表示された辞書画面の入力欄はクリアされているが、左キー５２０ａを押下するといった簡単な操作により、前回に入力した文字列を入力欄に表示させることができるため、スムーズな検索を行うことができる。
【００７８】
〔第２実施形態〕
次に、本発明を電子辞書１に適用した場合の第２実施形態について、図９〜１５を用いて説明する。第２実施形態における電子辞書１は、図１に示した第１実施形態のＲＯＭ４０をＲＯＭ４０−１に置き換えた構成である。尚、第１実施形態と同一の構成要素には同一の符号を付してその説明を省略する。
【００７９】
図９は、ＲＯＭ４０−１のデータ構成を示すブロック図である。同図によれば、ＲＯＭ４０−１は、英和辞書ＤＢ４２と、国語辞書ＤＢ４４と、百科事典ＤＢ４６と、入力可能文字種別対応テーブル４８と、第２辞書検索プログラム４９−１とを格納する。
【００８０】
第２辞書検索プログラム４９−１は、第２実施形態に係る第２辞書検索処理を実現するためのプログラムである。ＣＰＵ１０は、電子辞書１の電源が投入されると、第２辞書検索プログラム４９−１をＲＯＭ４０−１から読み出して第２辞書検索処理を開始する。尚、第２辞書検索処理は、サーチモードフラグ５９がＯＮのときのみに実行される。
【００８１】
次に、電子辞書１の第２辞書検索処理の具体的な動作について、図１０のフローチャートを用いて説明する。図１０において、ステップＳ１０１〜Ｓ１１３が図５のステップＳ１〜Ｓ１３に、ステップＳ１１５〜Ｓ１１９が図５のステップＳ１５〜Ｓ１９に、ステップＳ１２７〜Ｓ１３１が図５のステップＳ２７〜Ｓ３１に、ステップＳ１３３が図５のステップＳ３３に、ステップＳ１３９〜Ｓ１４１が図５のステップＳ３９〜Ｓ４１にそれぞれ相当する処理ステップである。従って、第１辞書検索処理との相違点となる太線で示したステップＳ１１４−１〜Ｓ１１４−２、Ｓ１２６、及びＳ１３８を中心に第２辞書検索処理の説明を行う。尚、第１辞書検索処理と同様に、ＣＰＵ１０は、第２辞書検索処理を終了させるための操作が為されたことを検知した場合に、当該処理を終了する。
【００８２】
ＣＰＵ１０は、第２辞書検索処理を開始し、第１辞書検索処理のステップＳ１〜Ｓ１３と同様の処理（ステップＳ１０１〜Ｓ１１３）を行った後、検索モードが英和辞書、英英辞書、国語辞書又は百科事典の通常検索であるか否かを判別する（ステップＳ１１４−１）。通常検索であると判別した場合（ステップＳ１１４−１：Ｙｅｓ）、ＣＰＵ１０は、入力文字列５２から始まる見出語と、その見出語以降の見出語を選択辞書種別５８の辞書ＤＢから読み出して、読み出した見出語を見出語候補として表示部３０に一覧表示させる（ステップＳ１１４−２）。
【００８３】
そして、ＣＰＵ１０は、表示させた見出語候補の中から一の見出語が選択されたか否を判別する（ステップＳ１３８）。見出語が選択されたと判別した場合は、（ステップＳ１３８：Ｙｅｓ）、選択された見出語に対応する説明情報を選択辞書種別５８の辞書ＤＢから読み出して、表示部３０に表示させる（ステップＳ１３９）。また、見出語が選択されなかったと判別した場合は（ステップＳ１３８：Ｎｏ）、ステップＳ１０８の処理へ移行する。そして、辞書選択キー５８０や左キー５２０ａの押下が為されずに、文字入力が為されたら、入力された文字列を入力文字列５２に追加した後、入力文字列５２に適合する見出語を再度読み出して一覧表示させる。従って、検索モードが通常検索であれば、ユーザにより文字列が入力される度に、入力文字列５２に適合する見出語を随時読み出し、見出語候補を更新表示させることとなる。これにより、「すぐでるサーチ」としての検索機能が実現される。
【００８４】
ステップＳ１１４−１において、検索モードが通常検索ではないと判別した場合は、第１辞書検索処理のステップＳ１５〜Ｓ２１と同様の処理（ステップＳ１１５〜Ｓ１２１）を行った後、検索モードがスペルチェックであるか否かを判別する（ステップＳ１２６）。尚、第１辞書検索処理において選択辞書種別５８が英和及び英英辞書の何れかでもなければ、国語辞書ＤＢ４４又は百科事典ＤＢ４６の検索（ステップＳ３５）を行ったが、第２辞書検索処理では、国語辞書及び百科事典が有する検索モードの通常検索での検索をステップＳ１１４−２において行うため、第１実施形態のステップＳ２３に相当する辞書種別の判別処理は行わなくてもよい。
【００８５】
ＣＰＵ１０は、ステップＳ１２６において、検索モードがスペルチェックであると判別した場合は（ステップＳ１２６：Ｙｅｓ）、選択されている検索モードに応じた検索、すなわちスペルチェックを実行して、見出語候補を表示部３０に一覧表示させる（ステップＳ１３３）。また、スペルチェックではないと判別した場合は、第１辞書検索処理のステップＳ２７〜Ｓ３１と同様の処理（ステップＳ１２７〜Ｓ１３１）を行う。
【００８６】
そして、ＣＰＵ１０は、ステップＳ１３３において表示させた見出語候補の中から一の見出語が選択されれば（ステップＳ１３８：Ｙｅｓ）、選択された見出語に対応する説明情報を選択辞書種別５８の辞書ＤＢから読み出して表示部３０に表示させる（ステップＳ１３８）。
【００８７】
次に、ユーザの具体的な操作例と、当該操作に伴う表示画面の遷移の様子を、図１１〜１５を用いて説明する。これら各図において各表示画面Ｗ１７〜Ｗ４３の左側に示したキー（ボタン）は、当該表示画面を表示させるまでにユーザが押下操作するキーを表している。尚、以下の説明における電子辞書１は、サーチモードフラグ５９がＯＮに設定されていることとして説明する。
【００８８】
先ず、ユーザは、英和キー５８０ａを押下して、英和辞書画面Ｗ１７を表示させ、通常検索を選択して、入力欄ＡＲ１１に「ａｂｃ」と図１１（ａ）のように入力すると、「ａｂｃ」で始まる見出語ＬＳＴ１１−１と、その見出語以降の見出語ＬＳＴ１１−２とを含む見出語候補ＬＳＴ１１が表示される（図１０のステップＳ１１３→Ｓ１１４−１→Ｓ１１４−２に相当）。
【００８９】
このとき、所望の見出語が見出語候補ＬＳＴ１１内に表示されなかった場合、ユーザは、英和キー５８０ａを再度押下し、図１１（ｂ）のように下キー５２０ｄを１回押下することで、反転表示Ｍ１０を移動して、スペルチェックを選択する。そして、左キー５２０ａを押下すると、スペルチェックの入力欄ＡＲ１３には、先に入力した文字列である「ａｂｃ」が表示される（図１１（ｃ））。従って、スペルチェックを行うために画面を切り替えた際に、表示がクリアされている入力欄ＡＲ１３に対して、左キー５２０ａを押下するといった簡単な操作で、入力欄ＡＲ１１に入力した文字列を呼び出すことができる。従って、同じ文字列を再度入力するといった手間を省くことができるため、検索操作をスムーズに行うことができる。
【００９０】
また、ユーザは、国語キー５８０ｃを押下して、国語辞書画面Ｗ２３を表示させ、図１２（ａ）のように「あい」と入力欄ＡＲ２１に入力すると、当該入力に伴い「あい」で始まる見出語の見出語候補ＬＳＴ１３が表示される。そして、下キー５２０ｄで反転表示Ｍ１２を移動して、見出語候補ＬＳＴ１３内の見出語「あい［藍］」を選択し、決定キー５００を押下すると、「あい［藍］」の説明情報ＣＴ３が表示される（図１２（ｂ））。
【００９１】
そして、ユーザは、説明情報ＣＴ１４中の「インジゴ」について検索するためにジャンプキー５６０ａを押下すると、反転表示Ｍ１４が表示される。そして、カーソルキー５２０を操作して、図１２（ｂ）のように「インジゴ」の「イ」まで反転表示Ｍ１４を移動させて、決定キー５００を押下すると、「インジゴ」の説明情報ＣＴ５が表示される（図１２（ｃ））。
【００９２】
電子辞書１は国語辞書ＤＢ４４と百科事典ＤＢ４６とを備えているので、ユーザは、両方の辞書ＤＢで「藍」の意味を詳細に調べることができる。そのため、「インジゴ」の説明情報ＣＴ５を表示させた後、ユーザは、百科キー５８０ｄを押下して、図１３（ａ）のように百科事典画面Ｗ２９を表示させる。そして、入力欄ＡＲ３１がクリアされている状態で、左キー５２０ａを押下すると、入力欄ＡＲ３１には「あい」という文字列が表示され、更に、「あい」で始まる見出語候補ＬＳＴ１５が表示される（図１３（ｂ））。
【００９３】
ここで、図１２（ａ）のように「あい」と入力したとき、ＣＰＵ１０により「あい」が入力文字列５２としてＲＡＭ５０に記憶される（図１０のステップＳ１１３に相当）。そして、ユーザが「あい［藍］」の説明情報ＣＴ３や、「インジゴ」の説明情報ＣＴ５を表示させた後、百科キー５８０ｄを押下すると、ＣＰＵ１０により、入力文字列５２「あい」が前回入力文字列５４としてＲＡＭ５０に記憶された後、ＲＡＭ５０の入力文字列５２はクリアされる（図１０のステップＳ１１４−１→Ｓ１１４−２〜Ｓ１３８→Ｓ１３９→Ｓ１４１→Ｓ１０３に相当）。
【００９４】
このため、百科事典画面Ｗ２９の入力欄ＡＲ３１はなにも入力されていない状態となる。そして、図１３（ａ）のように、なにも文字列を入力しない状態で、且つ、前回に入力した文字列「あい」の文字種別（日本語）と、選択中の辞書ＤＢ（百科事典）の文字種別（日本語）とが同じ場合に、左キー５２０ａを押下すると、ＣＰＵ１０により、前回入力文字列５４「あい」が入力文字列５２としてＲＡＭ５０に記憶された後、入力文字列５２が入力欄ＡＲ３１に表示される（図１０のステップＳ１０５〜Ｓ１０７→Ｓ１０９→Ｓ１１１に相当）。
【００９５】
従って、ユーザは、左キー５２０ａを押下するといった簡単な操作で、前回に入力した文字列を入力欄に表示させることができるため、当該文字列と同じ文字列を再度入力する手間を省ける。そして、表示された見出語候補ＬＳＴ１５から所望の見出語である「アイ［アイ（藍）］」を選択して決定キー５００を押下すると、「アイ［アイ（藍）］」の説明情報ＣＴ５が図１３（ｃ）のように表示される（図１０のステップＳ１３８→Ｓ１３９に相当）。
【００９６】
尚、図１２のように国語辞書ＤＢ４４の検索を行った後、百科キー５８０ｄを押下して、百科事典画面Ｗ２９を表示させ、入力欄ＡＲ３１に文字列を入力したとする。このときに、左キー５２０ａを押下しても、この押下操作はカーソルＣＳの移動操作に相当し、また、ＲＡＭ５０には入力文字列５２が既に記憶されているので、前回入力した文字列、すなわち前回入力文字列５４が読み出されて表示されることはない（図１０のステップＳ１０７→Ｓ１１３に相当）。
【００９７】
また、ユーザは、英和キー５８０ａを押下して、英和辞書画面Ｗ３５を表示させる。そして、入力欄ＡＲ１１に文字列が入力されていない状態で、左キー５２０ａを押下したとする。このとき、前回入力文字列５４（「あい」）の文字種別（日本語）と、選択辞書種別５８（英和辞書）の文字種別（英語）とは異なるから、左キー５２０ａを押下しても、前回入力した文字列が表示されることはない（図１０のステップＳ１０９→Ｓ１１３に相当）。
【００９８】
図１４（ａ）の英和辞書画面Ｗ３５において、入力欄ＡＲ１１に「ａｂｃ」と入力すると、「ａｂｃ」から始まる見出語候補ＬＳＴ１１が一覧表示され、その中の「ＡＢＣ」を選択して、決定キー５００を押下すると、「ＡＢＣ」の説明情報ＣＴ９が表示される（図１４（ｂ））。そして、この入力した文字列「ＡＢＣ」に関する成句を調べるために、英和キー５８０ａを押下して、下キー５２０ｄを操作して、反転表示Ｍ１０を成句検索に移動すると、入力欄ＡＲ１５にカーソルＣＳが移動する（図１５（ａ））（図１０のステップＳ１１５→Ｓ１１７に相当）。
【００９９】
この状態で、ユーザが、左キー５２０ａを押下すると、入力欄ＡＲ１５には、前回に入力した文字列「ａｂｃ」が表示される（図１０のステップＳ１０７→Ｓ１０９→Ｓ１１１に相当）。これにより、ユーザは、一度入力した文字列の見出語を他の検索モードで検索する際にも、同じ文字列を入力することなく、簡単な操作で当該文字列を入力欄に表示させることができる。そして、決定キー５００を押下すると、図１５（ｃ）のように「ａｂｃ」を含む成句の説明情報ＣＴ１１が表示される（図１０のステップＳ１１４−１→Ｓ１２１→Ｓ１２６→Ｓ１３３〜Ｓ１３８→Ｓ１３９に相当）。
【０１００】
以上、第２実施形態によれば、サーチモードフラグ５９がＯＮに設定され、検索モードが通常検索である場合、ＣＰＵ１０は、入力文字列５２に適合する見出語を辞書ＤＢから読み出して、文字列が入力される度に見出語候補を更新表示させる。そして、見出語が選択されないままに、辞書選択キー５８０が押下されると、ＣＰＵ１０は、第１辞書検索処理と同様に、入力文字列５２を前回入力文字列５４としてＲＡＭ５０に記憶させる。更に左キー５２０ａが押下された場合、ＣＰＵ１０は、前回入力文字列５４を入力文字列５２としてＲＡＭ５０に記憶させて、入力文字列５２を入力欄に表示させる。従って、「すぐでるモード」を使用する場合においても、ユーザは、既に入力した入力文字列を、簡単な操作で直ちに入力することができる。
【０１０１】
尚、上述した第１及び第２実施形態において、左キー５２０ａが押下されたときに、前回入力文字列５４を入力文字列５２として記憶して、入力欄に表示させることとして説明したが、例えば、図１６のように、入力復活キー５６０ｂを設け、当該キーが押下された場合に、前回入力文字列５４を入力文字列５２としてＲＡＭ５０に記憶して、入力欄に表示させることとしてもよい。上述した第１及び第２実施形態における左キー５２０ａは、カーソルＣＳの移動操作にも使用されるため、文字列が入力中であると、前回に入力された文字列を読み出すことができない。そこで、当該文字列を読み出すための専用のキーとして入力復活キー５６０ｂを設けることにより、文字列が入力中であっても、前回に入力された文字列を読み出して入力欄に表示させることが実現される。
【０１０２】
また、辞書選択キー５８０が押下されると、入力文字列５２を前回入力文字列５４として記憶することとして説明したが、例えば、辞書選択キー５８０、上下キー５２０ｃ及び５２０ｄが押下された場合に、入力文字列５２を蓄積的に記憶していくこととしてもよい。具体的には、ＲＡＭ５０に記憶される前回入力文字列５４の代わりに図１７（ａ）の入力ヒストリテーブル５１を利用することにより実現される。入力ヒストリテーブル５１は、入力済文字列と文字列タイプとを対応付けて蓄積的に記憶するデータテーブルである。ＣＰＵ１０は、辞書選択キー５８０、上下キー５２０ｃ又は５２０ｄが押下されると、入力文字列５２を入力済文字列とし、この入力済文字列に文字列タイプを対応付けて入力ヒストリテーブル５１に追加記憶させていく。
【０１０３】
文字列タイプは、入力済文字列の文字種別であり、“Ａ”、“Ｂ”及び“Ｃ”の３種に分類される。図１７（ｂ）は、文字列タイプを説明するための図である。文字列タイプが“Ａ”の入力済文字列は、特殊文字を含む英字であり、“Ｂ”の入力済文字列は英字のみであり、また、“Ｃ”の入力文字列は仮名文字のみであることを表している。
【０１０４】
図１８〜１９は、入力復活キー５６０ｂと、入力ヒストリテーブル５１とを新たに設けた電子辞書１における、ユーザの操作例と当該操作例に対応する画面表示の画面遷移の一例である。
【０１０５】
例えば、図１８（ａ）のように、英和辞書画面Ｗ４５において、入力欄ＡＲ１１に「ａｂｃ？」と入力すると、ＣＰＵ１０により「ａｂｃ？」が入力文字列５２として記憶される。そして、下キー５２０ｄを押下すると、「ａｂｃ？」が入力欄ＡＲ１３→ＡＲ１５と移動して表示されると共に、入力文字列５２「ａｂｃ？」が入力済文字列として文字列タイプ“Ａ”と対応付けられて入力ヒストリテーブル５１に追加記憶され、入力ヒストリテーブル５１は図１７（ａ）のようなデータ構成になる。そして、決定キー５００を押下すると、第１実施形態と同様に特殊文字である「？」文字ＷＤ１が入力文字列に含まれているという旨のエラー表示画面Ｗ５が表示され、当該文字が反転表示された後、当該文字が入力欄ＡＲ１５から削除される（図１８（ｃ））。
【０１０６】
そして、ユーザが、入力復活キー５６０ｂを押下すると、入力欄ＡＲ１５には先に表示されていた「ａｂｃ」が図１９（ａ）のように「ａｂｅ」に切り替わって表示更新される。このとき、選択辞書種別５８は英和辞書であり、選択されている検索モードが成句検索である。成句検索において入力可能な文字は英字のみであるため、ＣＰＵ１０は、入力ヒストリテーブル５１の先頭から文字列タイプが“Ｂ”である入力済見出語を検索して、当該検索の結果、入力欄ＡＲ１５に「ａｂｅ」を表示させる。また、図示しないが、更に入力復活キー５６０ｂが押下されると、ＣＰＵ１０は、「ａｂｅ」の次に文字列タイプが“Ｂ”である入力済見出語を読み出して入力欄ＡＲ１５に表示させる。
【０１０７】
また、ユーザが、国語キー５８０ｃを押下した後に、入力復活キー５６０ｂを押下すると、国語辞書画面Ｗ５３の入力欄ＡＲ２１には、図１９（ｂ）のように「あいう」という文字列が表示される。このとき、選択辞書種別５８は国語辞書であり、選択されている検索モードが通常検索である。国語辞書の通常検索において入力可能な文字は仮名文字のみであるため、ＣＰＵ１０は、入力ヒストリテーブル５１の先頭から文字列タイプが“Ｃ”である入力済見出語を検索して、当該検索の結果である「あいう」を入力欄ＡＲ２１に表示させる（図１９（ｂ））。
【０１０８】
このように入力復活キー５６０ｂを設けることで、文字列の入力中であっても、従前に入力した文字列を呼び出すことができる。また、入力文字列５２を蓄積的に記憶することで、過去に入力された入力文字列をさかのぼって表示させることができる。また、文字列タイプを対応付けて記憶することで、選択されている入力欄に入力可能な文字列のみを表示させることができるため、ユーザは、検索モードや、選択している辞書等を気にすることなく、入力復活キー５６０ｂを押下するといった簡単な操作で、従前に入力した入力文字列を呼び出して、再検索することができる。
【０１０９】
尚、本実施形態では電子辞書等を含む電子辞書を適用例として説明したが、このような製品に限定されず、携帯電話、パソコン、電子時計、ＰＤＡ（Personal Digital Assistants）等の電子機器全般に適用可能である。
【図面の簡単な説明】
【０１１０】
【図１】電子辞書の機能構成を示すブロック図。
【図２】（ａ）は辞書テーブルのデータ構成の一例を示す図、（ｂ）は成句テーブルのデータ構成の一例を示す図。
【図３】（ａ）は国語辞書ＤＢのデータ構成の一例を示す図、（ｂ）は百科事典ＤＢのデータ構成の一例を示す図。
【図４】入力可能文字種別対応テーブルのデータ構成の一例を示す図。
【図５】第１辞書検索処理の動作を説明するためのフローチャート。
【図６】第１実施形態における表示画面の画面遷移の一例を示す第１の図。
【図７】第１実施形態における表示画面の画面遷移の一例を示す第２の図。
【図８】第１実施形態における表示画面の画面遷移の一例を示す第３の図。
【図９】第２実施形態におけるＲＯＭのデータ構成の一例を示す図。
【図１０】第２辞書検索処理の動作を説明するためのフローチャート。
【図１１】第２実施形態における表示画面の画面遷移の一例を示す第１の図。
【図１２】第２実施形態における表示画面の画面遷移の一例を示す第２の図。
【図１３】第２実施形態における表示画面の画面遷移の一例を示す第３の図。
【図１４】第２実施形態における表示画面の画面遷移の一例を示す第４の図。
【図１５】第２実施形態における表示画面の画面遷移の一例を示す第５の図。
【図１６】変形例における操作入力キー群のキー配置の外観の一例を示す図。
【図１７】（ａ）は入力ヒストリテーブルのデータ構成の一例を示す図、（ｂ）は文字列タイプを説明するための図。
【図１８】変形例における表示画面の画面遷移の一例を示す第１の図。
【図１９】変形例における表示画面の画面遷移の一例を示す第２の図。
【図２０】（ａ）は従来の電子辞書の外観の一例を示す図、（ｂ）は操作入力キー群のキー配置の外観の一例を示す図。
【図２１】従来の電子辞書における表示画面の画面遷移の一例を示す第１の図。
【図２２】従来の電子辞書における表示画面の画面遷移の一例を示す第２の図。
【図２３】従来の電子辞書における表示画面の画面遷移の一例を示す第３の図。
【符号の説明】
【０１１１】
１     電子辞書
３     ディスプレイ
５     操作入力キー群
５２０ａ      左キー
５８０ 辞書選択キー
１０   ＣＰＵ
２０   入力部
３０   表示部
４０   ＲＯＭ
４２   英和辞書ＤＢ
４２ａ 辞書テーブル
４２ｂ 成句テーブル
４４   国語辞書ＤＢ
４６   百科事典ＤＢ
４８   入力可能文字種別対応テーブル
４９   第１辞書検索プログラム
５０   ＲＡＭ
５２   入力文字列
５４   前回入力文字列
５６   選択見出語
５８   選択辞書種別
５９   サーチモードフラグ
６０   バス
【図１】
2005293082.tif 000003
【図２】
2005293082.tif 000004
【図３】
2005293082.tif 000005
【図４】
2005293082.tif 000006
【図５】
2005293082.tif 000007
【図６】
2005293082.tif 000008
【図７】
2005293082.tif 000009
【図８】
2005293082.tif 000010
【図９】
2005293082.tif 000011
【図１０】
2005293082.tif 000012
【図１１】
2005293082.tif 000013
【図１２】
2005293082.tif 000014
【図１３】
2005293082.tif 000015
【図１４】
2005293082.tif 000016
【図１５】
2005293082.tif 000017
【図１６】
2005293082.tif 000018
【図１７】
2005293082.tif 000019
【図１８】
2005293082.tif 000020
【図１９】
2005293082.tif 000021
【図２０】
2005293082.tif 000022
【図２１】
2005293082.tif 000023
【図２２】
2005293082.tif 000024
【図２３】
2005293082.tif 000025